(57)【特許請求の範囲】
【請求項１】
光源装置と、
前記光源装置から出射された光束を変調する光変調装置と、
前記光変調装置にて変調された光束を投射する投射光学装置と、
一端が前記光変調装置に接続されるフレキシブル基板と、
前記光源装置、前記光変調装置、及び前記投射光学装置が収納される筐体と、を備え、
前記筐体は、
互いに別体で構成され、互いに組み合わされる第１筐体部及び第２筐体部と、
前記フレキシブル基板を前記筐体外部に引廻すための第１挿通部と、
前記光変調装置の一部が挿通される第２挿通部と、を備え、
前記第１挿通部及び前記第２挿通部は、前記第１筐体部及び前記第２筐体部が組み合わされることで形成され、
前記光変調装置は、前記第１筐体部及び前記第２筐体部の接続位置に配設されている
ことを特徴とするプロジェクター。
【請求項２】
請求項１に記載のプロジェクターにおいて、
前記第１挿通部及び前記第２挿通部は、互いに連通している
ことを特徴とするプロジェクター。
【請求項３】
請求項１又は請求項２に記載のプロジェクターにおいて、
前記第１筐体部及び前記第２筐体部を一体化する接続部材を備える
ことを特徴とするプロジェクター。
【請求項４】
請求項３に記載のプロジェクターにおいて、
前記筐体は、
前記第１筐体部及び前記第２筐体部が組み合わされることで略直方体形状を有し、
前記接続部材は、
前記接続位置を跨るように前記筐体の第１側面に取り付けられる接続部材本体と、
前記接続部材本体から突出し、前記接続位置を跨るように前記筐体における前記第１側面とは異なる第２側面に対向して配設される補強部とを備える
ことを特徴とするプロジェクター。
【請求項５】
請求項４に記載のプロジェクターにおいて、
前記第１挿通部は、
前記第２側面に形成されている
ことを特徴とするプロジェクター。
【請求項６】
請求項３から請求項５のいずれかに記載のプロジェクターにおいて、
前記筐体は、
前記第１筐体部及び前記第２筐体部が組み合わされることで略直方体形状を有し、
前記接続部材は、
前記接続位置を跨るように前記筐体の第１側面に取り付けられる接続部材本体を備え、
前記第１側面には、
前記光変調装置を前記筐体内部に挿入するための第１開口部が形成され、
前記光変調装置は、
前記筐体に収納された状態で、一部が前記第１開口部から突出し、
前記接続部材本体には、
前記第１開口部から突出した前記光変調装置の一部が挿通される第２開口部が形成されている
ことを特徴とするプロジェクター。
【請求項７】
請求項３から請求項６のいずれかに記載のプロジェクターにおいて、
前記接続部材は、
熱伝導性材料で構成され、前記光源装置と熱伝達可能に接続する光源接続部を備える
ことを特徴とするプロジェクター。
【発明の詳細な説明】
【技術分野】
【０００１】
本発明は、プロジェクターに関する。
【背景技術】
【０００２】
従来、光源装置と、光源装置から出射された光束を変調する光変調装置と、光変調装置にて変調された光束を投射する投射光学装置とを備えたプロジェクターが知られている（例えば、特許文献１参照）。
特許文献１に記載のプロジェクターでは、当該プロジェクターを小型化するために、光源装置として、放電発光型の光源ランプではなく、ＬＥＤ(Light Emitting Diode)光源を採用している。
このＬＥＤ光源は、ＬＥＤ基板に発光素子（発光部）が実装された構成を有する。
そして、光変調装置（液晶装置）は、当該光変調装置やＬＥＤ光源の動作を制御する制御基板に対して、フレキシブル基板を介して電気的に接続され、制御基板からフレキシブル基板を介して信号が出力されることで制御される。
また、ＬＥＤ光源も同様に、ＬＥＤ基板に設けられたコネクターと上記制御基板とがフレキシブル基板にて接続され、上記制御基板からフレキシブル基板を介して信号が出力されることで制御される。
【先行技術文献】
【特許文献】
【０００３】
【特許文献１】特開２００７−３３３７７３号公報
【発明の概要】
【発明が解決しようとする課題】
【０００４】
ところで、光源装置、光変調装置、及び投射光学装置等の光学部品は、通常、容器状の筐体に収納されるものである。
そして、このような筐体としては、光変調装置に接続されたフレキシブル基板を当該筐体外部に引廻すために、当該筐体の側壁に切り欠きを形成しておくことが一般的である。
また、筐体の側壁としては、光変調装置とフレキシブル基板との接続部分をカバーするために、フレキシブル基板の幅寸法（光変調装置の高さ寸法と略同一）と略同一の高さ寸法を有する必要がある。
ここで、筐体に収納される光学部品（光源装置、光変調装置、及び投射光学装置等）として、光変調装置は、画素数や画素ピッチ等により、サイズが制約される。一方で、他の光学部品は、レンズ等であるため、光変調装置のサイズよりも小さくする（光軸に直交する断面形状を小さくする）ことが可能である。
【０００５】
以上のことから、筐体の底部分の厚み寸法に光変調装置の高さ寸法、あるいは筐体の側壁の高さ寸法を加えた寸法が、プロジェクターの略厚み寸法となり、光変調装置の高さ寸法と略同一の寸法程度にまで、プロジェクターを薄型化することが難しい、という問題がある。
特に、当該プロジェクターを、デジタルカメラ、携帯電話、ノートＰＣ(Personal Computer)等の電子デバイスと併用（例えば、当該電子デバイスに組み込む）するピコプロジェクター（マイクロプロジェクターあるいはナノプロジェクターと呼ばれることもある）として構成する場合には、所望の厚み寸法に設計することが難しいものである。
【０００６】
本発明の目的は、薄型化が図れるプロジェクターを提供することにある。
【課題を解決するための手段】
【０００７】
本発明のプロジェクターは、光源装置と、前記光源装置から出射された光束を変調する光変調装置と、前記光変調装置にて変調された光束を投射する投射光学装置と、一端が前記光変調装置に接続されるフレキシブル基板と、前記光源装置、前記光変調装置、及び前記投射光学装置が収納される筐体と、を備え、前記筐体は、互いに別体で構成され、互いに組み合わされる第１筐体部及び第２筐体部と、前記フレキシブル基板を前記筐体外部に引廻すための第１挿通部と、前記光変調装置の一部が挿通される第２挿通部と、を備え、前記第１挿通部及び前記第２挿通部は、前記第１筐体部及び前記第２筐体部が組み合わされることで形成され、前記光変調装置は、前記第１筐体部及び前記第２筐体部の接続位置に配設されていることを特徴とする。
【０００８】
本発明では、筐体において、光変調装置が配設される位置には、上述した第１，第２挿通部が形成されている。
このことにより、例えば、容器状の筐体の底部分に上述した第２挿通部を形成し、光変調装置の一部を当該第２挿通部に挿通することで、光変調装置を、他の光学部品に対して、筐体の底部分側にオフセットした位置に位置付けることができる。
また、筐体の側壁に上述した第１挿通部を形成することで、当該第１挿通部を介して、フレキシブル基板を筐体の側方から筐体外部に引廻すことができる。
さらに、筐体の側壁の高さ寸法としては、上述したように光変調装置がオフセットした位置に位置付けられるため、従来の構成に比較して、小さくしたとしても、光変調装置とフレキシブル基板との接続部分を十分にカバーできる。
以上のことから、プロジェクターの厚み寸法に筐体の底部分の厚み寸法や側壁の高さ寸法が加わってこないため、プロジェクターの厚み寸法を光変調装置の高さ寸法と略同一の寸法程度にまで、プロジェクターを薄型化することができる。
【０００９】
本発明のプロジェクターでは、前記筐体は、互いに別体で構成され、互いに組み合わされる第１筐体部及び第２筐体部を備え、前記光変調装置は、前記第１筐体部及び前記第２筐体部の接続位置に配設され、前記第１挿通部及び前記第２挿通部は、前記第１筐体部及び前記第２筐体部が組み合わされることで形成されている。
【００１０】
本発明では、第１，第２挿通部は、上述した第１，第２筐体部が組み合わされることで形成されている。
このことにより、例えば、筐体を一部材で構成した場合と比較して、第１，第２挿通部を容易に形成できる。
また、第１筐体部に光源装置等の照明系を収納し、第２筐体部に投射光学装置を収納すれば、光源装置等を筐体に収納した状態で、光源装置等の照明系と投射光学装置との位置関係の調整（光軸調整）を容易に実施できる。
本発明のプロジェクターでは、前記第１挿通部及び前記第２挿通部は、互いに連通していることが好ましい。
【００１１】
本発明のプロジェクターでは、前記第１筐体部及び前記第２筐体部を一体化する接続部材を備えることが好ましい。
本発明では、プロジェクターが上述した接続部材を備えるので、筐体を互いに別体とされる第１，第２筐体部で構成した場合であっても、接続部材にて第１，第２筐体部を一体化し、筐体の強度を高めることができる。
【００１２】
本発明のプロジェクターでは、前記筐体は、前記第１筐体部及び前記第２筐体部が組み合わされることで略直方体形状を有し、前記接続部材は、前記接続位置を跨るように前記筐体の第１側面に取り付けられる接続部材本体と、前記接続部材本体から突出し、前記接続位置を跨るように前記筐体における前記第１側面とは異なる第２側面に対向して配設される補強部とを備えることが好ましい。
【００１３】
本発明では、接続部材が上述した接続部材本体及び補強部を備えるので、強度の弱い接続位置を跨るように筐体の異なる２面（第１，第２側面）側から当該接続部材本体及び補強部にて補強することで、筐体の強度を効果的に高めることができる。
【００１４】
本発明のプロジェクターでは、前記第１挿通部は、前記第２側面に形成されていることが好ましい。
本発明では、第１挿通部は、第２側面に形成されている。言い換えれば、フレキシブル基板は、第１挿通部を介して筐体外部に引廻される際に、補強部が配設される側に引廻されることとなる。
このことにより、補強部にて筐体を補強しながら、第１挿通部を閉塞して、光変調装置とフレキシブル基板との接続部分に不具合が生じることを防止できる。
【００１５】
本発明のプロジェクターでは、前記筐体は、前記第１筐体部及び前記第２筐体部が組み合わされることで略直方体形状を有し、前記接続部材は、前記接続位置を跨るように前記筐体の第１側面に取り付けられる接続部材本体を備え、前記第１側面には、前記光変調装置を前記筐体内部に挿入するための第１開口部が形成され、前記光変調装置は、前記筐体に収納された状態で、一部が前記第１開口部から突出し、前記接続部材本体には、前記第１開口部から突出した前記光変調装置の一部が挿通される第２開口部が形成されていることが好ましい。
【００１６】
本発明では、例えば、筐体として、容器状の開口部分（第１開口部）から光変調装置の一部が突出するように構成する。そして、接続部材を構成する上述した接続部材本体は、筐体の上記開口部分を閉塞するように筐体に取り付けられる。この際、接続部材本体に上述した第２開口部が形成されているため、接続部材本体が筐体に取り付けられた際に、第２開口部に光変調装置の一部が挿通するため、接続部材本体が光変調装置に機械的に干渉することはない。
したがって、接続部材に、筐体の強度を高める機能の他、筐体の開口部分を閉塞する蓋体としての機能を持たせることができる。また、接続部材本体に第２開口部が形成されているので、プロジェクターの厚み寸法に接続部材本体の厚み寸法が加わることがなく、プロジェクターの厚み寸法を光変調装置の高さ寸法と略同一の寸法程度に設定できる。
【００１７】
本発明のプロジェクターでは、前記接続部材は、熱伝導性材料で構成され、前記光源装置と熱伝達可能に接続する光源接続部を備えることが好ましい。
本発明では、接続部材が上述した光源接続部を備えるので、光源装置の点灯駆動により生じた熱を光源装置〜接続部材（光源接続部）の熱伝達経路を辿って外部に放熱できる。このため、光源装置の熱劣化を効果的に抑制できる。
【図面の簡単な説明】
【００１８】
【図１】本実施形態におけるプロジェクターの構成を示す図。
【図２】本実施形態におけるプロジェクターの構成を示す図。
【図３】本実施形態におけるプロジェクターの構成を示す図。
【図４】本実施形態におけるプロジェクターの構成を示す図。
【図５】本実施形態におけるＬＥＤの位置決め構造を説明するための図。
【発明を実施するための形態】
【００１９】
以下、本発明の実施の一形態を図面に基づいて説明する。
〔プロジェクターの構成〕
図１ないし図４は、本実施形態におけるプロジェクター１の構成を示す図である。具体的に、図１はプロジェクター１を天面側（上側）から見た斜視図であり、図２はプロジェクター１を底面側（下側）から見た斜視図である。図３及び図４は、上側から見たプロジェクター１の分解斜視図である。
プロジェクター１は、画像を投射してスクリーン（図示略）上に投影画像を表示する。
なお、本実施形態のプロジェクター１は、デジタルカメラ、携帯電話、ノートＰＣ(Personal Computer)等の電子デバイス（図示略）に搭載される小型の光学モジュール（ピコプロジェクター）として構成されている。
【００２０】
このプロジェクター１は、図１ないし図４に示すように、光源装置２と、第１，第２レンズ３Ａ，３Ｂ（図３、図４）と、偏光変換素子４（図３、図４）と、光変調装置としての液晶パネル５と、フレキシブル基板（以下、ＦＰＣ）６と、投射光学装置としての投射レンズ７と、筐体８と、接続部材９とを備える。
そして、上述した構成により、光源装置２から出射された光束は、第１，第２レンズ３Ａ，３Ｂにて略平行化された後、偏光変換素子４にて略１種類の直線偏光に変換される。偏光変換素子４を介した光束（直線偏光）は、液晶パネル５にて変調された後、投射レンズ７にてスクリーン（図示略）に投射される。
【００２１】
〔光源装置の構成〕
光源装置２は、前記電子デバイス内部に設けられた制御基板（図示略）による制御の下、点灯制御される。
この光源装置２は、図３または図４に示すように、プリント配線基板２１と、発光素子としてのＬＥＤ２２とを備える。
本実施形態では、プリント配線基板２１は、アルミニウムあるいは銅等の金属をベースとして加工されたメタルコアＰＣＢ(Printed Circuit Board)で構成されている。
このプリント配線基板２１は、図３または図４に示すように、矩形板状に形成され、筐体８の後述する第６側面８Ｂに対して、高さ寸法（図３、図４中、上下方向の長さ寸法）が同一で、横寸法（図３、図４中、左右方向の長さ寸法）が長くなるように形成されている。
【００２２】
そして、図３及び図４では図示を省略したが、プリント配線基板２１には、フレキシブル基板（前記制御基板とプリント配線基板２１とを電気的に接続するためのフレキシブル基板）が接続されるコネクターが設けられている。
なお、プリント配線基板２１には、液晶パネル５に対して光束を出射するための出射位置にＬＥＤ２２を位置決めするための位置決め構造（以下、ＬＥＤ２２の位置決め構造）が設けられているが、当該位置決め構造については後述する。
【００２３】
ＬＥＤ２２は、プリント配線基板２１に実装されている。
そして、光源装置２は、コネクター（図示略）に接続されたフレキシブル基板（図示略）を介して、前記制御基板から点灯用の電力が供給されるとともに、前記制御基板から信号を入力することで、点灯制御される。
【００２４】
〔液晶パネルの構成〕
液晶パネル５は、前記制御基板による制御の下、入射した光束を変調する。
本実施形態では、液晶パネル５は、図３または図４に示すように、パネル本体５１と、入射側偏光板５２と、出射側偏光板５３とを備える透過型の液晶パネルで構成されている。
パネル本体５１は、図３または図４に示すように、ガラスなどからなる平面視矩形状の一対の基板５１１，５１２に電気光学物質である液晶が密閉封入された構成を有している。
このうち、基板５１１は、液晶を駆動するための駆動基板であり、互いに平行に配列形成される複数のデータ線と、複数のデータ線と直交する方向に配列形成される複数の走査線と、走査線及びデータ線の交差に対応してマトリクス状に配列形成される画素電極と、ＴＦＴ(Thin Film Transistor)等のスイッチング素子と、スイッチング素子を駆動する駆動回路とを有している。
【００２５】
また、基板５１２は、基板５１１の光入射側において、基板５１１に対して所定間隔を空けて対向配置される対向基板であり、所定の電圧Ｖcomが印加される共通電極を有している。
そして、ＦＰＣ６（液晶パネル５の駆動用の信号線）を介して前記制御基板から信号を入力することで、所定の前記画素電極及び前記共通電極の間に電圧が印加され、当該画素電極及び共通電極間に介在する液晶の配向状態が制御され、入射した光束が変調される。
入射側偏光板５２は、パネル本体５１の光入射面に取り付けられ、所定の直線偏光（偏光変換素子４にて変換された直線偏光）のみを透過させる。
出射側偏光板５３は、パネル本体５１の光出射面に取り付けられ、偏光変換素子４にて変換された直線偏光の偏光方向に対して直交する偏光方向を有する直線偏光のみを透過させる。
【００２６】
〔ＦＰＣの構成〕
ＦＰＣ６は、例えば、ポリイミド等の基材に信号配線（液晶パネル５の駆動用の信号線等）がパターニングされることにより形成されたものであり、前記制御基板と液晶パネル５とを電気的に接続する。
すなわち、ＦＰＣ６の一端側は、液晶パネル５の端部近傍に形成された外部回路接続端子（図示略）に圧着等により電気的に接続されている。
また、ＦＰＣ６の他端側には、コネクター（図示略）が設けられ、当該コネクターを介して前記制御基板に電気的に接続する。
【００２７】
〔筐体の構成〕
筐体８は、光源装置２、第１，第２レンズ３Ａ，３Ｂ、偏光変換素子４、液晶パネル５、及び投射レンズ７が収納されるものである。
本実施形態では、筐体８は、図３または図４に示すように、光源装置２、第１，第２レンズ３Ａ，３Ｂ、偏光変換素子４、液晶パネル５、及び投射レンズ７を直線状に配設するように構成されている。
この筐体８は、図３または図４に示すように、互いに別体で構成された第１筐体部８１及び第２筐体部８２を備え、第１，第２筐体部８１，８２を互いに組み合わせることで略直方体形状を有する。
【００２８】
なお、以下では、説明の便宜上、筐体８の外面において、上側の面を第１側面８Ｕ、図３、図４中、投射側から見て左側の面を第２側面８Ｌ、下側の面を第３側面８Ｄ、図３、図４中、投射側から見て右側の面を第４側面８Ｒ、投射側の面を第５側面８Ｐ、第５側面８Ｐに対向する面を第６側面８Ｂと記載する。
そして、筐体８は、図３または図４に示すように、第１側面８Ｕに第１開口部８Ｕ１を有する容器状に形成されている。
【００２９】
第１筐体部８１は、光源装置２、第１，第２レンズ３Ａ，３Ｂ、及び偏光変換素子４が収納される部分である。
この第１筐体部８１において、内面には、図３または図４に示すように、第１側面８Ｕ側から第１，第２レンズ３Ａ，３Ｂ及び偏光変換素子４を第１筐体部８１内部にスライドして配設するための複数の溝部８１１が形成されている。
また、第１筐体部８１において、第６側面８Ｂには、図３または図４に示すように、第１筐体部８１内外を連通するとともに、第１開口部８Ｕ１にも連通し、ＬＥＤ２２を第１筐体部８１内部に配設するための光源用開口部８１２が形成されている。
なお、第１筐体部８１における第６側面８Ｂには、プリント配線基板２１と同様に、ＬＥＤ２２の位置決め構造が設けられているが、当該位置決め構造については後述する。
【００３０】
第２筐体部８２は、投射レンズ７が収納される部分である。
この第２筐体部８２において、第１側面８Ｕには、図３または図４に示すように、当該第２筐体部８２及び接続部材９を接続するために、一対の第１固定ネジＳｃ１がそれぞれ螺合される一対の第１ネジ孔８２１が形成されている。
また、第２筐体部８２において、第５側面８Ｐには、図３または図４に示すように、第２筐体部８２内外を連通するとともに、第１開口部８Ｕ１にも連通し、投射レンズ７にて投射された光束を通過させるための通過用開口部８２２が形成されている。
以上説明した筐体８において、液晶パネル５は、第１，第２筐体部８１，８２を組み合わせた状態で、後述する板金部材１０を介して、第１，第２筐体部８１，８２の間（接続位置）に配設される。
【００３１】
そして、第２側面８Ｌにおいて、第１，第２筐体部８１，８２の接続位置には、図２または図３に示すように、ＦＰＣ６を筐体８外部に引廻すための第１挿通部８Ｌ１が形成されている。
また、第３側面８Ｄにおいても、第１，第２筐体部８１，８２の接続位置には、図２ないし図４に示すように、液晶パネル５の一部が挿通される第２挿通部８Ｄ１が形成されている。
具体的に、第１，第２筐体部８１，８２は、互いに組み合わせた状態で、第２側面８Ｌ，側の端部同士が所定間隔、離間するように設定されている。そして、当該離間した部分が上述した第１挿通部８Ｌ１として機能する。なお、第２挿通部８Ｄ１も同様である。
【００３２】
ここで、板金部材１０は、図３または図４に示すように、板状の第１板部１１及び第２板部１２が段差を有して互いに平行となるように形成された部材である。
そして、第１板部１１は、偏光変換素子４が第１筐体部８１に収納された状態で、偏光変換素子４と第１筐体部８１の底部との間に挟持される。
また、第２板部１２は、図２に示すように、第２挿通部８Ｄ１を介して、筐体８外部に引き出され、液晶パネル５が載置固定される。
なお、液晶パネル５は、図１に示すように、板金部材１０を介して筐体８に収納された状態で、一部が第１開口部８Ｕ１から突出する。また、第２挿通部８Ｄ１に挿通された液晶パネル５の一部は、図２に示すように、第３側面８Ｄと略面一となる。
【００３３】
〔接続部材の構成〕
接続部材９は、第１，第２筐体部８１，８２に接続し、第１，第２筐体部８１，８２を一体化する部材であり、図３または図４に示すように、接続部材本体９１と、補強部９２とを備える。
接続部材本体９１は、図３または図４に示すように、筐体８の第１側面８Ｕと略同一の平面形状を有する板状の蓋部９１１と、筐体８の第６側面８Ｂと略同一の平面形状を有する板状の光源接続部９１２とを備える。
蓋部９１１は、筐体８に接続部材９が接続された状態で、第１側面８Ｕに当接して第１開口部８Ｕ１を閉塞する蓋体として機能する。
【００３４】
この蓋部９１１において、液晶パネル５の配設位置に対応する位置には、図１、図３または図４に示すように、筐体８に接続部材９が接続された状態で、第１開口部８Ｕ１から突出した液晶パネル５の一部が挿通される略矩形状の第２開口部９１１Ａが形成されている。
また、蓋部９１１において、筐体８の一対の第１ネジ孔８２１に対応する位置には、第２筐体部８２及び接続部材９を接続するために、一対の第１固定ネジＳｃ１がそれぞれ挿通される一対の固定用孔９１１Ｂが形成されている。
さらに、蓋部９１１において、投射レンズ７の配設位置に対応する位置には、筐体８に接続部材９が接続された状態で、投射レンズ７の一部を外部に露出するための略矩形状のレンズ用開口部９１１Ｃが形成されている。
【００３５】
光源接続部９１２は、蓋部９１１における第６側面８Ｂ側の端縁から略垂下し、筐体８に接続部材９が接続された状態で、第６側面８Ｂとの間でプリント配線基板２１を挟持する。
なお、光源接続部９１２には、プリント配線基板２１及び第１筐体部８１と同様に、ＬＥＤ２２の位置決め構造が設けられているが、当該位置決め構造については後述する。
補強部９２は、蓋部９１１における第２側面８Ｌ側の端縁から略垂下する矩形状の板体で構成され、図１または図２に示すように、筐体８に接続部材９が接続された状態で、第１，第２筐体部８１，８２の接続位置を跨るように第２側面８Ｌに所定の間隔を空けて対向して配設される。
以上説明した接続部材９は、銅等の熱伝導性材料から構成されている。
【００３６】
〔ＬＥＤの位置決め構造〕
図５は、ＬＥＤ２２の位置決め構造を説明するための図である。具体的に、図５は、第１筐体部８１、光源装置２、及び光源接続部９１２を第６側面８Ｂ側から見た分解斜視図である。
先ず、プリント配線基板２１に設けられた位置決め構造について説明する。
プリント配線基板２１において、ＬＥＤ２２が実装された実装位置Ｃを中心として互いに対向する位置には、図５に示すように、表裏を貫通し、一対の第２固定ネジＳｃ２がそれぞれ挿通される一対の第１固定用孔２１１が形成されている。
また、一対の第１固定用孔２１１を避けた位置には、実装位置Ｃを中心として互いに対向するように、一対の位置決め用孔２１２が形成されている。
【００３７】
次に、第１筐体部８１に設けられた位置決め構造について説明する。
第１筐体部８１の第６側面８Ｂにおいて、一対の第１固定用孔２１１に対応する位置には、図５に示すように、当該第１筐体部８１及び接続部材９を接続するために、一対の第２固定ネジＳｃ２がそれぞれ螺合される一対の第２ネジ孔８１３が形成されている。
また、第６側面８Ｂにおいて、一対の位置決め用孔２１２に対応する位置には、一対の位置決め用孔２１２にそれぞれ嵌合する一対の位置決め突起８１４が形成されている。
【００３８】
次に、光源接続部９１２に設けられた位置決め構造について説明する。
光源接続部９１２において、一対の第１固定用孔２１１に対応する位置には、図５に示すように、接続部材９及び第１筐体部８１を接続するために、一対の第２固定ネジＳｃ２がそれぞれ挿通される一対の第２固定用孔９１２Ａが形成されている。
【００３９】
そして、一対の位置決め用孔２１２に一対の位置決め突起８１４をそれぞれ嵌合させることで、ＬＥＤ２２は、液晶パネル５に光束を出射する出射位置に位置決めされることとなる。
また、各孔９１１Ｂ，９１２Ａ，２１１を介して、各第１，第２固定ネジＳｃ１，Ｓｃ２を各第１，第２ネジ孔８２１，８１３に螺合することで、接続部材９にて第１，第２筐体部８１，８２が一体化されるとともに、プリント配線基板２１が第６側面８Ｂと光源接続部９１２との間に挟持される。
そして、この状態では、光源接続部９１２は、光源装置２（プリント配線基板２１を介してＬＥＤ２２）と熱伝達可能に接続する。また、第１開口部８Ｕ１から突出した液晶パネル５の一部は、図１に示すように、蓋部９１１の上面と略面一となる。
【００４０】
上述した本実施形態によれば、以下に示す効果がある。
本実施形態では、筐体８において、液晶パネル５が配設される位置には、第１，第２挿通部８Ｌ１，８Ｄ１が形成されている。
このことにより、液晶パネル５の一部を第２挿通部８Ｄ１に挿通することで、液晶パネル５を、他の光学部品２，３Ａ，３Ｂ，４，７に対して、第３側面８Ｄ（筐体８の底部分）側にオフセットした位置に位置付けることができる。
また、筐体８の第２側面８Ｌに第１挿通部８Ｌ１を形成することで、第１挿通部８Ｌ１を介して、ＦＰＣ６を筐体８の側方から筐体８外部に引廻すことができる。
さらに、筐体の側壁（第２，第４側面８Ｌ，８Ｒ）の高さ寸法としては、上述したように液晶パネル５が第３側面８Ｄ側にオフセットした位置に位置付けられるため、従来の構成に比較して、小さくしたとしても、液晶パネル５とＦＰＣ６との接続部分を十分にカバーできる。
以上のことから、プロジェクター１の厚み寸法（図１、図２中、上下方向の高さ寸法）に筐体８の底部分の厚み寸法や側壁（第２，第４側面８Ｌ，８Ｒ）の高さ寸法が加わってこないため、プロジェクター１の厚み寸法を液晶パネル５の高さ寸法と略同一の寸法程度にまで、プロジェクター１を薄型化することができる。
【００４１】
また、第１，第２挿通部８Ｌ１，８Ｄ１は、第１，第２筐体部８１，８２が組み合わされることで形成されている。
このことにより、例えば、筐体８を一部材で構成した場合と比較して、第１，第２挿通部８Ｌ１，８Ｄ１を容易に形成できる。
また、第１，第２挿通部８Ｌ１，８Ｄ１同士が互いに連通しているので、筐体８への液晶パネル５の組み込みも容易に実施できる。
さらに、第１筐体部８１に照明系２，３Ａ，３Ｂ，４を収納し、第２筐体部８２に投射レンズ７を収納することで、これら光学部品を筐体８に収納した状態で、照明系２，３Ａ，３Ｂ，４と投射レンズ７との位置関係の調整（光軸調整）を容易に実施できる。
【００４２】
また、プロジェクター１が接続部材９を備えるので、筐体８を互いに別体とされる第１，第２筐体部８１，８２で構成した場合であっても、接続部材９にて第１，第２筐体部８１，８２を一体化し、筐体８の強度を高めることができる。
さらに、接続部材９が接続部材本体９１及び補強部９２を備えるので、強度の弱い第１，第２筐体部８１，８２の接続位置を跨るように異なる２面（第１，第２側面８Ｕ，８Ｌ）側から接続部材本体９１及び補強部９２にて補強することで、筐体８の強度を効果的に高めることができる。
【００４３】
また、第１挿通部８Ｌ１は、第２側面８Ｌに形成されている。言い換えれば、ＦＰＣ６は、第１挿通部８Ｌ１を介して筐体８外部に引廻される際に、補強部９２が配設される側に引廻されることとなる。
このことにより、補強部９２にて筐体８を補強しながら、第１挿通部８Ｌ１を閉塞して、液晶パネル５とＦＰＣ６との接続部分に不具合が生じることを防止できる。
【００４４】
さらに、筐体８は、容器状の開口部分である第１開口部８Ｕ１から液晶パネル５の一部が突出するように構成され、接続部材本体９１は、筐体８の第１開口部８Ｕ１を閉塞するように第１側面８Ｕに取り付けられる。この際、接続部材本体９１に第２開口部９１１Ａが形成されているため、接続部材本体９１が筐体８に取り付けられた際に、第２開口部９１１Ａに液晶パネル５の一部が挿通するため、接続部材本体９１が液晶パネル５に機械的に干渉することはない。
したがって、接続部材９に、筐体８の強度を高める機能の他、筐体８の開口部分を閉塞する蓋体としての機能を持たせることができる。また、蓋部９１１に第２開口部９１１Ａが形成されているので、プロジェクター１の厚み寸法に蓋部９１１の厚み寸法が加わることがなく、プロジェクター１の厚み寸法を液晶パネル５の高さ寸法と略同一の寸法程度に設定できる。
【００４５】
また、接続部材９が光源接続部９１２を備えるので、ＬＥＤ２２の点灯駆動により生じた熱をＬＥＤ２２〜プリント配線基板２１〜接続部材９（光源接続部９１２）の熱伝達経路を辿って外部に放熱できる。このため、光源装置２の熱劣化を効果的に抑制できる。
さらに、接続部材９には、第２開口部９１１Ａが形成されているので、光源装置２から接続部材９に伝達された熱が液晶パネル５に伝達されることを抑制できる。
【００４６】
なお、本発明は前述の実施形態に限定されるものではなく、本発明の目的を達成できる範囲での変形、改良等は本発明に含まれるものである。
前記実施形態では、液晶パネル５を透過型の液晶パネルで構成していたが、これに限らず、反射型の液晶パネルで構成しても構わない。
また、液晶パネル５において、適宜、カラーフィルターを設け、画素毎に赤（Ｒ）、緑（Ｇ）、青（Ｂ）の３色を表示してカラー画像を形成するように構成しても構わない。
前記実施形態では、筐体８は、互いに別体で構成された第１，第２筐体部８１，８２の２体で構成されていたが、これに限らず、１部材で構成しても構わない。
前記実施形態では、光源装置２をＬＥＤで構成していたが、これに限らず、例えば、レーザーダイオード、有機ＥＬ（Electro Luminescence）素子、シリコン発光素子等の他の発光素子を採用しても構わない。
【産業上の利用可能性】
【００４７】
本発明は、光源装置と、光源装置から出射された光束を変調する光変調装置と、光変調装置にて変調された光束を投射する投射光学装置とを備えたプロジェクターに利用できる。
【符号の説明】
【００４８】
１・・・プロジェクター、２・・・光源装置、５・・・液晶パネル（光変調装置）、６・・・ＦＰＣ（フレキシブル基板）、７・・・投射レンズ（投射光学装置）、８・・・筐体、８Ｕ・・・第１側面、８Ｕ１・・・第１開口部、８Ｌ・・・第２側面、８Ｌ１・・・第１挿通部、８Ｄ１・・・第２挿通部、９・・・接続部材、８１・・・第１筐体部、８２・・・第２筐体部、９１・・・接続部材本体、９２・・・補強部、９１１Ａ・・・第２開口部、９１２・・・光源接続部。
【図１】
0005754260.tif 000002
【図２】
0005754260.tif 000003
【図３】
0005754260.tif 000004
【図４】
0005754260.tif 000005
【図５】
0005754260.tif 000006